(57)【特許請求の範囲】
【請求項１】
ディジタル放送を受信して符号化映像・音声データを取得するチューナと、前記符号化映像・音声データをデコードしてディスプレイ上に映像表示するとともに音声出力する手段とを備える携帯型視聴装置において、
ネットワーク通信するための通信手段と、
前記ネットワークを介して電子メールを送信する電子メール送信手段と、
前記受信したディジタル放送から又は前記ネットワークを介して番組情報を取得する番組情報取得手段と、
前記番組情報に基づいて前記ディジタル放送を受信して取得された符号化映像・音声データをデコードすることによって得られた番組データを保存する記憶手段と、
前記番組データを前記電子メールに添付する添付手段と、を備え、
前記添付手段によって添付される電子メールの作成画面において、前記番組データの映像と当該番組データについての前記番組情報とを同一画面に表示することを特徴とする携帯型視聴装置。
【請求項２】
請求項１に記載の携帯型視聴装置において、前記電子メール作成画面で表示される番組情報は前記番組データの番組名である携帯型視聴装置。
【請求項３】
請求項１又は請求項２に記載の携帯型視聴装置において、前記電子メール作成画面で表示される番組情報は前記番組データのチャンネル情報である携帯型視聴装置。
【発明の詳細な説明】
【０００１】
【産業上の利用分野】
この発明は、テレビ視聴等が行える携帯型視聴装置に関する。
【０００２】
【従来の技術】
従来より、携帯型のテレビジョン受信装置が提供されており、かかる装置は内蔵の小型チューナによって地上波アナログ放送を受信し、液晶表示パネルに受信映像を映し出すようになっている。また、近年においては、ＭＰＥＧ４（Ｍｏｖｉｎｇ  Ｐｉｃｔｕｒｅ  Ｅｘｐｅｒｔｓ  Ｇｒｏｕｐ４）に基づいた符号化映像データをメモリカードに記録し、このメモリカードを携帯型視聴装置のスロットに装填することにより、外出先でも録画映像を楽しむことができるようになっている。ＭＰＥＧ４に基づいた符号化映像データは、通常のテレビジョン放送による受信映像やハンディカメラで撮像した映像をＭＰＥＧ４エンコーダに通すことで得たり、或いは、インターネットを利用してダウンロードすることで得ることができる。
【０００３】
【発明が解決しようとする課題】
このように、映像の符号化技術の高度化や機器の小型化によって、外出先でも手軽に映像を楽しむことができるようになっているが、更に、使い勝手に優れた携帯型視聴装置が求められている。
【０００４】
この発明は、上記の事情に鑑み、使い勝手に優れた携帯型視聴装置を提供することを目的とする。
【０００５】
【課題を解決するための手段】
この発明の携帯型視聴装置は、上記の課題を解決するために、ディジタル放送を受信して符号化映像・音声データを取得するチューナと、前記符号化映像・音声データをデコードしてディスプレイ上に映像表示するとともに音声出力する手段とを備える携帯型視聴装置において、ネットワーク通信するための通信手段と、前記ネットワークを介して電子メールを送信する電子メール送信手段と、前記受信したディジタル放送から又は前記ネットワークを介して番組情報を取得する番組情報取得手段と、前記番組情報に基づいて前記ディジタル放送を受信して取得された符号化映像・音声データをデコードすることによって得られた番組データを保存する記憶手段と、前記番組データを前記電子メールに添付する添付手段と、を備え、前記添付手段によって添付される電子メールの作成画面において、前記番組データの映像と前記番組データに対応する前記番組情報とを同一画面上に表示することを特徴とする。
【０００６】
上記の構成であれば、テレビ受信装置、再生装置、及び電子メール端末としての機能が１台で実現されることになり、これらの機能の融合化を可能にして使い勝手よく、番組を電子メールに添付して送信することができる。
【０００７】
具体的には、電子メール作成画面で表示される番組情報は番組名やチャンネルであってもよい。
【０００８】
無線でネットワークに接続することで得られた番組情報をディスプレイに表示する手段と、ディスプレイ上でユーザによって選択された番組情報を記憶する手段と、前記番組情報に基づいて当該番組を受信するためにチューナを制御する手段と、を備えるのがよい。これによれば、例えば、インターネットで「お勧め番組サイト」にネット接続し、当該サイトから入手した番組情報に基づいて録画予約をするといった処理や、前述の番組ガイドを用いた処理で他の携帯型視聴装置からメールで送られてきた番組情報に基づいて録画予約をするといった処理等が行えることになる。
【０００９】
また、無線でネットワークに接続することで得られた番組情報をディスプレイに表示する手段と、ディスプレイ上でユーザによって選択された番組情報を記憶する手段と、前記番組情報に基づいて当該番組の開始をユーザに知らせる手段と、を備えてもよい。これによれば、例えば、インターネットで「お勧め番組サイト」にネット接続し、当該サイトから入手した番組情報に基づいて番組開始数分前にアラーム等で番組開始をユーザに知らせてくれることになる。
【００１０】
現在位置を検出する現在位置検出手段と、現在位置情報を無線でネットワークに接続することで所定の相手先に送出する手段と、前記所定の相手先から前記ネットワークによって送られてきた情報を表示する手段と、を備えてもよい。これによれば、例えば、インターネットで所定のサイトにネット接続して現在位置情報を与え、当該サイトから近隣の店情報やその地のお勧め地方番組情報などを入手することができる。
【００１１】
現在視聴している番組の符号化映像・音声データ又はメモリカードから読み出して再生している符号化映像・音声データを任意の相手先に無線でネットワークに接続することで送信するように構成されていてもよい。これによれば、気に入った番組を当該番組が放送されていない地の友人にリアルタイムで見せてあげたり、或いは録画しておいて後で再生しながら見せてあげることが可能になる。
【００１２】
任意の相手先と電話をしながら現在視聴している番組の符号化映像・音声データ又はメモリカードから読み出して再生している符号化映像・音声データを任意の相手先に無線でネットワークに接続することで送信するように構成されていてもよい。これによれば、気に入った番組を当該番組が放送されていない地域の友人にリアルタイムで見せてあげたり、或いは録画しておいて後で再生しながら見せて、その番組についてお互いに意見を述べ合ったりすることができる。
【００１３】
【発明の実施の形態】
以下、この発明の実施形態を図１乃至図１１に基づいて説明する。
【００１４】
図１及び図２に示すように、据置型周辺装置１とこの実施形態の携帯型視聴装置２とによって放送視聴システムが構成される。このシステムでは、据置型周辺装置１がアナログ放送を受信し、この受信した放送をエンコードして得た符号化映像・音声データをスロット１０１に差し込まれたメモリカード３（例えばコンパクトフラッシュカード（商標）やマルチメディアカード（商標）等）に格納する。据置型周辺装置１の本体部１ａは縦長にデザインされており、その下部には脚部１ｂを有し、転倒防止が図られている。また、据置型周辺装置１には電源ボタン及び視聴に関する操作ボタン（プレイ／ポーズ、ストップ、送り）は設けられているが、チャンネル選択のための操作ボタン類は設けられていない。そして、据置型周辺装置１の本体部１ａにおける手前側には、収容凹部１ｃが形成されており、この収容凹部１ｃに携帯型視聴装置２を差し込んで装着することができる。この装着状態で携帯型視聴装置２は据置型周辺装置１から充電を受けるようになっている。
【００１５】
携帯型視聴装置２は、略方形状で偏平な形状を有しており、電池駆動される構成となっている。携帯型視聴装置２は、チューナー２３０によって地上波ディジタル放送を受信する。また、スロット２０１に差し込まれたメモリカード３から符号化映像・音声データを読み出し、映像を液晶表示パネル２０２上に映し出すとともに、音声をイヤホン２０３から出力する。液晶表示パネル２０２上にはタッチパネル２１１が貼られており、タッチペン等によってパネル操作を行って所望の指示を与えることができる。なお、視聴に関する操作ボタン（プレイ／ポーズ、ストップ、送り、音量等）については、筐体部に設けている。
【００１６】
以下、これら据置型周辺装置１と携帯型視聴装置２の回路構成を、図３に基づいて詳しく説明していく。
【００１７】
まず、据置型周辺装置１について説明していく。チューナ１０２は、アナログ放送を受信し、この放送受信信号を出力する。チューナ１０２の起動指令や任意の放送を受信するための選局情報（チャンネル情報）は、Ｉ／Ｏ（インプット／アウトプット）回路１０３及びシステムバス１０４を介してＣＰＵ１１０から与えられる。ＣＰＵ１１０は、ユーザによる選局指令情報（指定チャンネル情報、指定時間情報など）を、システムバス１０４、ＰＣＭＣＩＡインターフェイス１０５、及びスロット１０１を介して前記メモリカード３から受け取る。スイッチ１０６は、前記放送受信信号を入力する入力部と外部信号を入力する入力部とを有し、いずれかの信号を選択してＡ／Ｄ変換回路１０７に供給する。
【００１８】
Ａ／Ｄ変換回路１０７は、アナログ信号をディジタル信号に変換してＭＰＥＧ４（Ｍｏｖｉｎｇ  Ｐｉｃｔｕｒｅ  Ｅｘｐｅｒｔｓ  Ｇｒｏｕｐ４）エンコーダ１０８に供給する。ＭＰＥＧ４エンコーダ１０８は、ＭＰＥＧ４に従い、例えば、映像中の背景や背景中の人物を各々オブジェクトとして個別に記述し、この任意形状の各オブジェクトを取り扱うために形状情報を付加すると共にＭＰＥＧ２と同様にＤＣＴ処理や動きベクトル処理等を行ってビデオパケットを生成し、これを連続させたビットストリームを出力する。音声についても所定の符号化を行い、この音声符号化データを上記ビットストリームに組み込む。ＳＤＲＡＭ１０９は、ＭＰＥＧ４エンコーダ１０８の上記処理において利用される。
【００１９】
ＭＰＥＧ４エンコーダ１０８が出力したビットストリーム（符号化映像・音声データ）は、システムバス１０４、ＰＣＭＣＩＡインターフェイス１０５、及びスロット１０１を介して前記メモリカード３に格納される。
【００２０】
スロット１０１及びＰＣＭＣＩＡインターフェイス１０５のセットは、二組設けられている。スロット１０１には、上記メモリカード３の他、ＰＨＳデータカード４等を装着することができる。
【００２１】
充電回路１１３は、商用電源からの交流を直流化する回路等を有して成り、図１に示すごとく携帯型視聴装置２が据置型周辺装置１に装着されたとき、図示しない充電端子部を介して携帯型視聴装置２への充電電力供給を行う。
【００２２】
ＣＰＵ１１０は、上述したチューナ１０２の動作制御やＭＰＥＧ４エンコーダ１０８の出力をメモリカード３に格納する処理（録画処理）を行う他、スロット１０１にＰＨＳデータカード４が装着された場合のデータ送受信、このデータに基づく各機能部の制御、ＦｌａｓｈＲＯＭ１１１やＤＲＡＭ１１２のリード／ライト制御なども行うようになっている。
【００２３】
次に、携帯型視聴装置２を説明していく。メモリカード３に格納されているＭＰＥＧ４ビットストリームデータは、ＰＣＭＣＩＡインターフェイス２２０、及びシステムバス２１３を経てＭＰＥＧ４デコーダ２０４に供給される。また、地上波ディジタル放送を受信するチューナ２３０は、この地上波ディジタル放送で放送されるＭＰＥＧ４のビットストリームデータを取り出し、ＭＰＥＧ４デコーダ２０４に与えたり、メモリカード３に記録すべくシステムバス２１３に供給したりする。ＭＰＥＧ４デコーダ２０４は、前記ビットストリームデータを復号して量子化係数や動きベクトルを求め、逆ＤＣＴ変換や動きベクトルに基づく動き補償制御などを行うことによって得た映像データをグラフィックスコントローラ２０５に供給する。グラフィックスコントローラ２０５は映像データ（例えば、Ｒ，Ｇ，Ｂデータ）に対して色調整等の処理を施す。また、グラフィックスコントローラ２０５は、ＣＰＵ２０９から出力指示された文字等（操作ボタン、メニュー画面、地上波ディジタル放送から取得した番組情報によるＥＰＧ画面等）を液晶表示パネル２０２に表示する処理も行う。オーディオデコーダ２０６は、ビットストリーム中の音声符号データをＭＰＥＧ４デコーダ２０４から受け取り、復号して音声データを生成する。ＳＤＲＡＭ２１０は、ＭＰＥＧ４デコーダ２０４の上記処理において利用される。
【００２４】
ＬＣＤコントローラ２０７は、グラフィックスコントローラ２０５から供給された映像データに基づいて液晶表示パネル２０２を駆動する。また、Ｄ／Ａ変換器２０８は、オーディオデコーダ２０６から出力された音声データを受け取ってＤ／Ａ変換を行い、右（Ｒ）音のアナログ信号および左（Ｌ）音のアナログ信号を生成してイヤホン２０３に与える。
【００２５】
タッチパネル２１１に対する操作情報は、専用インターフェイス２１２、及びシステムバス２１３を介してＣＰＵ２０９に与えられる。ＣＰＵ２０９は上記操作情報と液晶表示パネル２０２上の操作ボタン等の表示との対応によって指令内容を把握して必要な処理を実行する。
【００２６】
本体キー２１４は先述した視聴に関する操作ボタン（プレイ／ポーズ、ストップ、送り）に相当する。この本体キー２１４に対する操作情報は、インターフェイス２１５、及びシステムバス２１３を介してＣＰＵ２０９に与えられる。ＣＰＵ２０９は上記操作情報に基づいて必要な処理を実行する。
【００２７】
また、無線ネットワークを可能にするために、通信ブロック２１６及びインターフェイス（例えば、Bluetooth（商標）など）２１７が設けられている。更に、ＦｌａｓｈＲＯＭ２１８やＳＤＲＡＭ２１９も備える。電池２２１は二次電池であり、据置型周辺装置１から電力の供給を得てこれを蓄えるようになっている。携帯電話部２３１は、通常の電話のために用いることとしている。
【００２８】
ＣＰＵ２０９は、無線ネットワークのための処理、スロット２０１にＰＨＳデータカード４が装着された場合のデータ送受信、受信データに基づく各機能部の制御、ＦｌａｓｈＲＯＭ２１８やＳＤＲＡＭ２１９のリード／ライト制御なども行うようになっている。更に、ユーザがタッチパネル２１１等を用いて受信番組指定（チャンネル及び時刻指定）を行ったときには、その情報をメモリカード３に格納する処理を行うようになっている。
【００２９】
図４は携帯型視聴装置２による地上波ディジタル放送受信処理内容を簡単に示したフローチャートである。例えば、液晶表示パネル２０２上に、メニュー画面として、「ＴＶを視聴する」「ＴＶを録画する」「録画予約を行う」「再生する」「情報端末とする」「番組情報を取得する」といった項目を表示し、このうちの「ＴＶを視聴する」が選択されると（ステップＳ１でＹＥＳ）、チャンネル選択のために例えばリモコンを表した画像を液晶表示パネル２０２に表示し、ユーザのペン入力で指定されたチャンネルの番組を受信すべくチューナを制御し（ステップＳ２）、取得したその番組のビットストリームデータに基づいて番組を表示する（ステップＳ３）。そして、例えば、リモコンを表した画像上でユーザが「電源ＯＦＦ」の表記部をペン操作すると、放送受信処理を終了する（ステップＳ４でＹＥＳ）。
【００３０】
図５は携帯型視聴装置２による地上波ディジタル放送録画処理内容を簡単に示したフローチャートである。前記の「ＴＶを録画する」が選択されると（ステップＳ１１でＹＥＳ）、選局情報の入力を受け付け（ステップＳ１２）、メモリカード３がセットされていれば（ステップＳ１３でＹＥＳ）、選局情報中の録画開始時刻と現在時刻とが一致するかを判断し（ステップＳ１４）、録画開始時刻になれば、メモリカード３への記録を行い（ステップＳ１５）、録画終了時刻になれば（ステップＳ１６でＹＥＳ）、録画処理を終了する。
【００３１】
図６は携帯型視聴装置２による再生処理内容を簡単に示したフローチャートである。前記の「再生する」が選択され（ステップＳ２１でＹＥＳ）、更に携帯型視聴装置２の再生ボタンがＯＮされると（ステップＳ２２でＹＥＳ）、メモリカード３の有無、符号化映像・音声データの有無を判断し（ステップＳ２３，Ｓ２４）、共にＹＥＳであれば、停止ボタンや一時停止ボタンの操作状態を判断し（ステップＳ２５）、停止操作がなければ、符号化映像・音声データをメモリカード３から読み出し（ステップＳ２６）、符号化映像・音声データによる再生を終了すれば（ステップＳ２７でＹＥＳ）、再生処理を終了する。
【００３２】
上記ＣＰＵ２０９による処理を更に説明していく。スロット２０１にＰＨＳデータカード４を装着することで、電子メールやインターネットを利用したページ閲覧等が行えるようになっている。従って、かかる携帯型視聴装置をテレビ視聴や映像再生機として使う他に、ネット端末として利用できる。図７は携帯型視聴装置２による情報端末処理内容を簡単に示したフローチャートである。前記の「情報端末とする」が選択されると（ステップＳ３１でＹＥＳ）、例えば、液晶表示パネル２０２上に「メールする」「インターネットする」といった項目が表示され、ユーザによって項目が選択されると（ステップＳ３２でＹＥＳ）、ＰＨＳデータカード４が装着されているかどうかが判断され（ステップＳ３３）、装着されていれば、ユーザが選択した項目に従った処理が実行され（ステップＳ３４）、終了条件に適合すれば終了する（ステップＳ３５）。
【００３３】
インターネット上で例えば「お勧め番組」の情報を提供しているサイトが存在しているとすると、このサイトに接続して「お勧め番組」の情報をＨＴＭＬファイルにより、或いはメール等によって取得することができる。このときの操作は、前記「録画予約を行う」が選択されたときに、例えば、図８（ａ）に示しているように、液晶表示パネル２０２上に下位項目を表示し、この下位項目のなかで「番組情報から行う」の項目を選択すると実行される。この実行に際しては、図９のフローチャートに示すように、ステップＳ４１からステップＳ４４の処理を経て番組情報を取得することができ、これにより、図８（ｂ）に示すように、液晶表示パネル２０２に番組リストが表示される。この状態で望みの番組をタッチペンで選択し（ステップＳ４５でＹＥＳ）、予約ボタンを選択すると（ステップＳ４６でＹＥＳ）、メモリカード３が装着されているかどうかが判断され（ステップＳ４７）、装着されていれば、メモリカード３に番組情報を書き込む（ステップＳ４８）。そして、「追加する」のボタンが操作されたら（ステップＳ４９）、ステップＳ４５に進む。また、メモリカード３が装着されていない等の判断がなされると、エラー表示がなされる（ステップＳ５０，Ｓ５１）。なお、メモリカード３に番組情報を書き込むことに限らず、内蔵メモリに書き込むようにしてもよい。また、携帯型視聴装置２はＥＰＧ画面上で番組を指定してその番組情報を他の携帯型視聴装置２にメール内容として送信することができ、当該他の携帯型視聴装置２は、上述と同様の処理でメール受信した番組情報に基づいて録画を行うことも可能である。
【００３４】
また、ＣＰＵ２０９は、上記番組情報に基づいて予約録画処理を行う他、当該番組情報による番組開始時刻の例えば５分前となったときに、報知音を鳴らしたりメッセージを表示するなどしてユーザに報知するといった処理を行うようにしてもよい。
【００３５】
また、図示はしないが、ＧＰＳチップを内蔵したり、或いはスロット２０１にＧＰＳカードを装填することで位置情報を取得することができる。ＧＰＳチップやＧＰＳカードは携帯電話用電波（例えば、ｃｄｍａＯｎｅ（商標）電波）を利用するもので（ｇｐｓＯｎｅ（商標）と呼ばれている）、複数の基地局が一つの携帯電話と通信することに加えてＧＰＳ衛星の電波を利用することによって現在位置を高い精度で算出することができるものである。
【００３６】
ＣＰＵ２０９は、前述したネットワーク接続機能を用いて携帯型視聴装置２の現在位置をインターネット上の例えば「近くのお店情報サイト」に接続し、前記位置情報を当該サイトに送る。「近くのお店情報サイト」は、位置情報に対応した店の情報を保有しており、携帯型視聴装置２からの位置情報に基づいて店の情報を携帯型視聴装置２に宛てて送信する。携帯型視聴装置２は、図１０に示すように、店情報を取得して、まず、そのリストを液晶表示パネル２０２上にブラウザ機能やメール機能を用いて表示する。ユーザが所望の店の表記部を操作するとその詳細情報が表示されることになる。また、サイトが位置情報に基づいてその地の放送エリアにおけるお勧め番組情報を送信し、携帯型視聴装置２は当該番組情報に基づいて即座に番組視聴を開始することもできる。
【００３７】
また、ＣＰＵ２０９は、前述した地上波ディジタル放送受信機能、録画・再生機能、ＰＨＳデータカード４を用い、現在視聴している番組の符号化映像・音声データを任意の相手先である他の携帯型視聴装置２に前記ＰＨＳデータカード４等を用いることで送信したり（同期視聴機能）又はメモリカード３から読み出して再生している符号化映像・音声データを任意の相手先である他の携帯型視聴装置２に前記ＰＨＳデータカード４等を用いることで送信する（映像ファイル送信機能）ことができる。例えば、テレビ電話規格では、カメラ撮像映像をＭＰＥＧ４のフォーマットで送信するものがあるが、上記カメラ撮像映像に代えて現在視聴している番組のＭＰＥＧ４の符号化映像・音声データ又はメモリカード３から読み出して再生しているＭＰＥＧ４の符号化映像・音声データを送信するようにすればよい。また、ネット経由で例えば画像転送サイトを利用して他の携帯型視聴装置２に送ったり、電子メールの添付ファイルとして送ることも可能である。図１１（ａ）は送り手側となる携帯型視聴装置２のメール送信による画面例を示し、同図（ｂ）は受けて側となる携帯型視聴装置２の同期視聴機能の要求時画面例を示している。
【００３８】
上記処理を任意の相手先と電話をしながら実行するようにしてもよい。このときの電話については、電話機能部２３１を用いればよい。勿論、ＰＨＳデータカード４或いは次世代型移動通信システム（例えば、ＦＯＭＡなど）を利用し、上記電話機能部２３１を用いずに符号化映像・音声データとともに音声通話を行うようにしてもよい。また、ビデオカメラで撮った自作映像の符号化映像・音声データをメモリカード３に記録し、このメモリカード３から読み出した符号化映像・音声データをＰＨＳデータカード４或いは次世代型移動通信システムを用いて相手先の携帯型視聴装置２に送ることもできる。
【００３９】
なお、図示はしていないが、据置型周辺装置１にも携帯型視聴装置２に設けてある通信ブロック２１６及びインターフェイス（例えば、Bluetooth（商標）など）２１７と同規格の通信ブロック及びインターフェイスを設け、据置型周辺装置１と携帯型視聴装置２との間で無線ネットワークが行えるようにしてもよい。これによれば、携帯型視聴装置２から選局情報を無線ネットワークで据置型周辺装置１に与えることもできる。また、このような無線ネットワークによって、据置型周辺装置１からＭＰＥＧ４によるビットストリームデータを携帯型視聴装置２に送信することができ、これによれば、携帯型視聴装置２を用いて現在放送中のアナログ放送の映像をリアルタイムで視ることができる。なお、据置型周辺装置１と携帯型視聴装置２とを有線ネットワークによって接続することとし、上記と同様に選局情報やビットストリームデータの送出を行うこととしてもよい。また、据置型周辺装置１からＭＰＥＧ４によるビットストリームデータを携帯型視聴装置２に送ることに代えて、据置型周辺装置１からコンポジット映像信号（コンポーネント映像信号でもよい）をＡＶ端子（或いは、Ｓ端子やＤ端子など）経由で携帯型視聴装置２に送出するようにしてもよい。
【００４０】
据置型周辺装置１の収容凹部１ｃに携帯型視聴装置２を装着した状態で放送をリアルタイムに視聴することとし、図１に示したごとく、携帯型視聴装置２の操作ボタンが据置型周辺装置１によって隠されるとする場合は、据置型周辺装置１には当該操作ボタンと同じように操作ボタンを配することとし、この据置型周辺装置１側で携帯型視聴装置２を操作することができるようにしてもよい。据置型周辺装置１の操作ボタンに対する操作情報は、無線ネットワークや有線又は有線ネットワークを用いて携帯型視聴装置２側へ送出することができる。また、据置型周辺装置１にスピーカを備えてもよく、受信放送の音声は据置型周辺装置１のスピーカから出力し、映像は携帯型視聴装置２の液晶表示パネル２０２で表示するといった形態を採ることができるようにしてもよい。
【００４１】
【発明の効果】
以上説明したように、この発明によれば、テレビ受信装置、再生装置、及びネット端末としての機能が１台で実現されることになり、これら機能の融合化を可能にして使い勝手を向上させることができるという効果を奏する。
【図面の簡単な説明】
【図１】この発明の実施形態の放送視聴システムを構成する携帯型視聴装置及びその周辺装置の装着状態を示した外観斜視図である。
【図２】携帯型視聴装置の外観斜視図である。
【図３】携帯型視聴装置及びその周辺装置の構成を示したブロック図である。
【図４】携帯型視聴装置のＴＶ受信処理を示したフローチャートである。
【図５】携帯型視聴装置のＴＶ録画処理を示したフローチャートである。
【図６】携帯型視聴装置の再生処理を示したフローチャートである。
【図７】携帯型視聴装置のネット端末処理を示したフローチャートである。
【図８】同図（ａ）及び（ｂ）は携帯型視聴装置のネット端末処理時の画面例を示した説明図である。
【図９】携帯型視聴装置におけるネット取得した番組情報による録画処理を示したフローチャートである。
【図１０】携帯型視聴装置のネット端末処理時における店情報取得の画面例を示した説明図である。
【図１１】同図（ａ）及び（ｂ）は携帯型視聴装置の画像転送処理時の画面例を示した説明図である。
【符号の説明】
１        据置型周辺装置
１０２    チューナ
１０８    ＭＰＥＧ４エンコーダ
１１３    充電回路
２        携帯型視聴装置
２０２    液晶表示パネル
２０４    ＭＰＥＧ４デコーダ
３        メモリカード
４        ＰＨＳデータカード
【図１】
0003851129.tif 000002
【図２】
0003851129.tif 000003
【図３】
0003851129.tif 000004
【図４】
0003851129.tif 000005
【図５】
0003851129.tif 000006
【図６】
0003851129.tif 000007
【図７】
0003851129.tif 000008
【図８】
0003851129.tif 000009
【図９】
0003851129.tif 000010
【図１０】
0003851129.tif 000011
【図１１】
0003851129.tif 000012